(57)【特許請求の範囲】
【請求項１】
容器内の内容物の定量取入れを可能とする貯留空間を備え、注出開口を通して貯留空間内の内容物を注出する定量注出容器であって、
底壁と該底壁の縁部から立ち上がる側壁にて形成された凹部を有し容器の口部を覆う基体と、前記凹部を取り囲む筒体に上部開口を形成し容器の口部において前記基体とともに係合保持するノズルヘッドと、前記ノズルヘッドの内側に配置され前記基体及びノズルヘッドと協働して貯留空間を形成するとともに該ノズルヘッドの上部開口から頭部を突出させるスライダーと、前記スライダーの頭部と当接し前記ノズルヘッドを取り囲んで容器の口部の外側において係合保持されるオーバーキャップと、を備え、
前記基体の底壁は、前記スライダーを摺動可能とする中央開口と容器内の内容物を通過させる貫通孔とを有し、
前記ノズルヘッドに、前記上部開口の縁部に内容物の弁となる開口側壁を設け、
前記スライダーは、前記基体の中央開口を貫通する軸体と、該軸体を取り囲み該軸体の中央部から下方に向けて延びる周壁と、該周壁の上部に形成され内容物の流路となる管状体を有し、
前記周壁は、前記スライダーの上方位置において前記開口側壁に当接可能な周壁上端と、前記スライダーの下方位置において前記基体に当接可能な周壁下端とを備え、
前記管状体に、該管状体の頭部外周に設けられ前記オーバーキャップと係合する環状凸部と、該管状体の側部に設けた貫通孔を通して貯留空間内の内容物を内部に導入し該管状体の頭部先端から外界へ注出する注出開口を形成し、
前記オーバーキャップに、前記環状凸部と対応する爪部を形成し、
前記スライダーは、前記ノズルヘッドを取り囲むとともに前記オーバーキャップの内側に納まるカバーを備え、
前記カバーは、前記管状体の環状凸部の直下で引き抜け不能に嵌合するカバー本体と、該カバー本体の下部から垂下され該カバー本体を容器の口部に対して回動不能でかつ上下にスライド可能に支持するとともに、前記容器の口部においてオーバーキャップとの係合部を残して横断する脚部からなることを特徴とする定量注出容器。
【請求項２】
前記脚部は、前記容器の口部に沿って配置した脚部本体と、該脚部本体の各下端をつなぐリングからなることを特徴とする請求項１記載の定量注出容器。
【発明の詳細な説明】
【技術分野】
【０００１】
本発明は、容器の一部を被塗布面に接触させて内容物を直接塗布する場合と、被塗布面から離して滴下塗布する場合を選択できるようにした容器に関するものであって、特に定量の内容物を取り出すのに好適な定量注出容器に関するものである。
【背景技術】
【０００２】
容器内の内容物、たとえば化粧品や整髪料等を塗布するにあたっては、容器に内容物の外部への注出と阻止を司る弁体を設け、使用状況に応じて、容器の塗布部を身体に直接押し当てて弁を開放させる直接塗布、または容器を被塗布部から離したまま容器の一部を押圧して弁を開放する滴下塗布を選択できるようにした容器が知られている(例えば特許文献１参照)。
【先行技術文献】
【特許文献】
【０００３】
【特許文献１】特開２００６−１５０２３８号公報
【発明の概要】
【発明が解決しようとする課題】
【０００４】
ところで上記のような従来の容器においては、内容物は被塗布部に直接押し当てている間、若しくは容器の一部を押圧している間は弁が開放された状態となり、押圧加減によって弁の開放状態(弁の開度、弁の開放時間)が変わるため、例えば薬液のように毎回定量を塗布することが必要な場合に上記容器は採用し難く、このような状態にも対応しうる新たな容器が求められていた。
【０００５】
本発明の課題は、容器の一部を被塗布面に接触させて容器内の内容物を直接塗布する場合と、被塗布面から離して滴下塗布する場合を選択できるようにするとともに、簡便な操作のもとで定量の内容物を確実に取り出すのに好適な定量注出容器を提案するものである。
【課題を解決するための手段】
【０００８】
本発明は、容器内の内容物の定量取入れを可能とする貯留空間を備え、注出開口を通して貯留空間内の内容物を注出する定量注出容器であって、
底壁と該底壁の縁部から立ち上がる側壁にて形成された凹部を有し容器の口部を覆う基体と、前記凹部を取り囲む筒体に上部開口を形成し容器の口部において前記基体とともに係合保持するノズルヘッドと、前記ノズルヘッドの内側に配置され前記基体及びノズルヘッドと協働して貯留空間を形成するとともに該ノズルヘッドの上部開口から頭部を突出させるスライダーと、前記スライダーの頭部と当接し前記ノズルヘッドを取り囲んで容器の口部の外側において係合保持されるオーバーキャップと、を備え、
前記基体の底壁は、前記スライダーを摺動可能とする中央開口と容器内の内容物を通過させる貫通孔とを有し、
前記ノズルヘッドに、前記上部開口の縁部に内容物の弁となる開口側壁を設け、
前記スライダーは、前記基体の中央開口を貫通する軸体と、該軸体を取り囲み該軸体の中央部から下方に向けて延びる周壁と、該周壁の上部に形成され内容物の流路となる管状体を有し、
前記周壁は、前記スライダーの上方位置において前記開口側壁に当接可能な周壁上端と、前記スライダーの下方位置において前記基体に当接可能な周壁下端とを備え、
前記管状体に、該管状体の頭部外周に設けられ前記オーバーキャップと係合する環状凸部と、該管状体の側部に設けた貫通孔を通して貯留空間内の内容物を内部に導入し該管状体の頭部先端から外界へ注出する注出開口を形成し、
前記オーバーキャップに、前記環状凸部と対応する爪部を形成し、
前記スライダーは、前記ノズルヘッドを取り囲むとともに前記オーバーキャップの内側に納まるカバーを備え、
前記カバーは、前記管状体の環状凸部の直下で引き抜け不能に嵌合するカバー本体と、該カバー本体の下部から垂下され該カバー本体を容器の口部に対して回動不能でかつ上下にスライド可能に支持するとともに、前記容器の口部においてオーバーキャップとの係合部を残して横断する脚部からなることを特徴とする定量注出容器である。
また、前記脚部は、前記容器の口部に沿って配置した脚部本体と、該脚部本体の各下端をつなぐリングからなることが望ましい。
【発明の効果】
【０００９】
容器に貯留空間を設け、容器の姿勢を上下逆さまにすることで容器内の内容物がこの貯留空間に溜まるようにし、スライダーを容器内部に押し込むことで貯留空間内の内容物を全て吐出できるようにしたので、毎回決まった量を簡単に注出することが可能となる。またスライダーにオーバーキャップと係合する環状凸部を設けたので、オーバーキャップを容器から取り外した際はスライダーが押し込み可能な状態になっており、そのまま容器を逆さまにしてスライダーを押し込むことができるので簡便な操作で内容物を吐出させることができる。
【００１０】
スライダーと一体となるカバーを形成したので、被塗布面から離して滴下塗布する場合であっても注出開口付近に触れることなく吐出することが可能となる。またこのカバーに、容器の口部においてオーバーキャップとの係合部を残して横断する脚部を設けたので、容器のサイズを広げることなくスライダーの回転止めを形成することができるとともにオーバーキャップと容器との係合も確保することができる。
【００１１】
脚部本体に各下端をつなぐリングを設けたので、このリングがスライダーを押し込む際の指掛りとなって操作がしやすくなるだけでなく、スライダーを押し込む際のストッパーとなって各部材の破損を防止することができる。
【図面の簡単な説明】
【００１２】
【図１】本発明にしたがう定量注出容器の実施の形態につき、容器にオーバーキャップを係合させた状態を示す断面図である。
【図２】本発明にしたがう定量注出容器の実施の形態につき、容器からオーバーキャップを取り外してスライダーが上方位置まで上昇した状態を示す断面図である。
【図３】本発明にしたがう定量注出容器の実施の形態につき、容器を上下逆さまにして被対象物に接触させた状態を示す断面図である。
【図４】本発明にしたがう定量注出容器の実施の形態につき、容器を上下逆さまにして被対象物に押し当てて内容物を注出させた状態を示す断面図である。
【図５】本発明にしたがう定量注出容器の他の実施の形態を示した図であり、スライダーにカバーを取り付けた状態を示した斜視図である。
【図６】本発明にしたがう定量注出容器の他の実施の形態を示した図であり、容器にオーバーキャップを係合させた状態を示すＡ−Ａ断面図である。
【図７】本発明にしたがう定量注出容器の他の実施の形態を示した図であり、容器からオーバーキャップを取り外してスライダーが上方位置まで上昇した状態を示すＢ−Ｂ断面図である。
【図８】本発明にしたがう定量注出容器の他の実施の形態を示した図であり、容器を上下逆さまにして被対象物に接触させた状態を示すＡ−Ａ断面図である。
【図９】本発明にしたがう定量注出容器の他の実施の形態を示した図であり、容器を上下逆さまにして被対象物に押し当てて内容物を注出させた状態を示すＡ−Ａ断面図である。
【図１０】本発明にしたがう定量注出容器の他の実施の形態を示した図であり、容器を上下逆さまにして被対象物から離した状態で内容物を注出させた状態を示すＡ−Ａ断面図である。
【発明を実施するための形態】
【００１３】
以下、図面を参照して、本発明をより具体的に説明する。
図１は本発明にしたがう定量注出容器の実施の形態につき、容器にオーバーキャップを係合させた状態を示す断面図であり、図２は容器からオーバーキャップを取り外してスライダーが上方位置まで上昇した状態を示す断面図であり、図３は容器を上下逆さまにして被対象物に接触させた状態を示す断面図であり、図４は容器を上下逆さまにして被対象物に押し当てて内容物を注出させた状態を示す断面図である。
【００１４】
図１における１は、内容物の充填空間Ｍを区画形成する容器である。容器１は、上部開口する小径筒体からなる口部１ａを有している。
【００１５】
２は、容器１の口部１ａを覆う基体である。基体２は、底壁２ａと、底壁２ａの縁部から起立させた側壁２ｂを備え、底壁２ａと側壁２ｂで凹部２ｃを形成している。凹部２ｃの外縁上端にはフランジ２ｄが設けられ、このフランジ２ｄは、容器の口部１ａの内側で当接して基体２の位置決めとなる周壁２ｅを垂下させるとともに、フランジ２ｄ外縁から立ち上がる周壁２ｆを備えている。底壁２ａには、後述するスライダーを上下に摺動可能とする中央開口２ｇと、容器内の内容物を通過させる貫通孔２ｈ（単数でも複数でもよい）が形成されている。また基体２は、周壁２ｅと容器の口部１ａとが係合するようにして容器の口部において固定されるようにしてもよい。
【００１６】
３は、基体２の上部に位置するノズルヘッドである。このノズルヘッド３は、凹部２ｃを取り囲む筒体３ａと、筒体３ａの上部に開口する上部開口３ｂを備えており、上部開口３ｂの縁部には、内容物の弁となる開口側壁３ｃが、ノズルヘッド３の外側に上端３ｃ１を突き出し内側に下端３ｃ２を飛び出させるように形成されている。ノズルヘッド３は、筒体３ａの外側から基体２の周壁２ｆ及び容器１の口部１ａを取り囲んで垂下する外側周壁３ｄを有するとともに、この外側周壁３ｄの内側に口部１ａの上部外側に設けた突起１ｂに対応する凹部３ｅを備えており、これによりノズルヘッド３は、基体２とともに容器の口部１ａに位置決めしつつ係合保持することが可能である。なお図示の例では口部１ａに突起１ｂを設け、外側周壁３ｄに凹部３ｅを設けたが、相互に入れ替えて形成してもよく、また保持方法はアンダーカット係合に限られず、ねじ係合であってもよい。
【００１７】
４は、ノズルヘッド３の内側に配置され、基体２及びノズルヘッド３と協働して貯留空間Ａを形成するスライダーである。スライダー４は、基体２の中央開口２ｇを貫通する軸体４ａと、軸体４ａを取り囲み軸体４ａの中央部から下方に向けて延びる周壁４ｂと、周壁４ｂの上部に形成されて内容物の流路となる管状体４ｃを備え、管状体４ｃの頭部をノズルヘッド３の上部開口３ｂから突出させている。スライダー４は、下部において中央開口２ｇと軸体４ａの相互間で摺動可能とし、上部を管状体４ｃに形成した凸部４ｃ１と開口側壁３ｃの相互間で摺動可能としているので、傾くことなく上下に移動可能となっている。周壁４ｂは、スライダー４が最も上方へ移動したスライダー上方位置において、開口側壁３ｃの下端３ｃ２と当接して内容物の外部への吐出を阻止する周壁上端４ｂ１と、スライダー４が最も下方へ移動したスライダー下方位置において、基体２の底壁２ａ又は側壁２ｂと当接して容器内の内容物が補助空間Ｂを通して貯留空間Ａへ流入することを阻止する周壁下端４ｂ２を備えている。内容物の外部への吐出を阻止するにあたっては、管状体４ｃの周壁上端４ｂ１周辺を拡径させ開口側壁３ｃの内側と当接するようにしてもよい。ここで貯留空間Ａとは、図１に示すようにスライダー下方位置において、基体２のフランジ２ｄ、ノズルヘッド３の筒体３ａ、スライダー４の管状体４ｃ及び周壁４ｂに囲まれる空間であり、補助空間Ｂとは、スライダー下方位置において、基体２の底壁２ａ、スライダー４の周壁４ｂ及び軸体４ａで囲まれる空間である。周壁上端４ｂ１は、スライダー４の上方への抜け止めとしても機能するものであり、周壁下端４ｂ２は、スライダー４が下方への過剰な押し込みを阻止するストッパーとしても機能するものである。管状体４ｃは、管状体４ｃの頭部の外周に環状凸部４ｄを有するとともに、側部に貫通孔４ｅ(単数でも複数でもよい)を設けている。貯留空間Ａの内容物は貫通孔４ｅを通して管状体４ｃの内部に導入されて、管状体４ｃの頭部先端の注出開口４ｆから外界へ注出される。また管状体４ｃの頭部先端には、被塗布部に押し付けた際に外界からの空気を管状体４ｃの内側に取り入れる、切欠き４ｇが形成されている。切欠き４ｇは、単数であっても複数であってもよく、また孔であってもよい。
【００１８】
５は、スライダー４の頭部と当接して注出開口４ｆを閉栓するオーバーキャップである。オーバーキャップ５は、ノズルヘッド３を取り囲むとともに、口部１ａの外側に設けたねじ部１ｃに対応するねじ部５ａを有し、容器１に係合保持されている。保持方法はねじ係合に限られず、アンダーカット係合であってもよい。またオーバーキャップ５の上部内側には、スライダー４の環状凸部４ｄに対応する爪部５ｂを備えるとともに、管状体４ｃの内側と当接して位置決めをなすリブ５ｃを備えている。爪部５ｂ、リブ５ｃは、環状であっても一部に切欠きがあってもよい。
【００１９】
上記の構成となる定量注出容器において内容物を外界へ抽出するには、まず図１に示すオーバーキャップ５を容器１から取り外す。取り外し前においてオーバーキャップ５の爪部５ｂは、スライダー４の環状凸部４ｄに係合しているため、オーバーキャップ５の取り外しに伴いスライダー４も引き上げられ、図２に示すスライダー上方位置まで上昇することとなる。
【００２０】
続いて図３に示すように、スライダー４を下方へ向けて容器の姿勢を上下逆さまにすると、容器１内の内容物は貫通孔２ｈを通してノズルヘッド３の内側に流れ込む。この際スライダー４の周壁上端４ｂ１は、ノズルヘッド３の上端３ｃ１と当接しているので、内容物が外部に漏れ出すことはない。
【００２１】
図３に示す姿勢のまま、スライダー４の頭部を被塗布部に当てて容器を押し込むと、図４に示すようにスライダー４が容器１の内部に押し込まれ、ノズルヘッド３の内側の内容物がスライダー４の貫通孔４ｅを通して管状体４ｃの内部に導入されて、管状体４ｃの頭部先端の注出開口４ｆから外界へ注出される。管状体４ｃの頭部先端には切欠き４ｇが設けられており、被塗布部に押し付けた際にもこの切欠き４ｇから外界の空気を導入し内容物と入れ替えることができるので、貯留空間Ａ内の内容物を全量注出させることができる。この時スライダー４の周壁下端４ｂ２は基体２の底壁２ａ又は側壁２ｂと当接しており、容器１の内容物が補助空間Ｂから貯留空間Ａに流れ込むことはないため、毎回決まった量が注出されることになる。また被塗布部から離した状態でスライダー４の頭部を指で押し、内容物を滴下塗布させることも可能である。
【００２２】
その後容器を元の姿勢に戻すと、補助空間Ｂの内容物は貫通孔２ｈを通して容器１内に戻されるので、内容物が累積して溜まっていくことがない。オーバーキャップ５で注出開口４ｆを閉栓する際には、スライダー４はスライダー下方位置まで下がっているのでそのままオーバーキャップ５を取り付けることができる。仮に内容物の定量注出後にスライダー４が引き上げられていたとしても、オーバーキャップ５の上部内側がスライダー４の頭部と当接してスライダー４が押し下げられるので部材の破損につながることはなく、スライダー下方位置まで移動させることができる。
【００２３】
図５〜図１０は、本発明の他の実施の形態を示したものであり、図５はスライダーにカバーを取り付けた状態を示した斜視図であり、図６は容器にオーバーキャップを係合させた状態を示すＡ−Ａ断面図であり、図７は容器からオーバーキャップを取り外してスライダーが上方位置まで上昇した状態を示すＢ−Ｂ断面図であり、図８は容器を上下逆さまにして被対象物に接触させた状態を示すＡ−Ａ断面図であり、図９は容器を上下逆さまにして被対象物に押し当てて内容物を注出させた状態を示すＡ−Ａ断面図であり、図１０は容器を上下逆さまにして被対象物から離した状態で内容物を注出させた状態を示すＡ−Ａ断面図である。
【００２４】
図５〜図１０に示した実施の形態は、スライダー４にカバー４ｈを取り付けたものであり、カバー４ｈに関する部分以外は上記実施形態と同様であるので説明は省略する。
【００２５】
カバー４ｈは、図６に示すようにカバー本体４ｈ１がノズルヘッド３を取り囲むとともにオーバーキャップ５の内側に納まるものであり、上部にスライダー４の管状体４ｃを貫通させる孔を有している。管状体４ｃは凸部４ｃ１の上部に係合突起４ｃ２を備えており、これによりカバー４ｈを貫通させてこの凸部４ｃ１と係合突起４ｃ２の相互間で嵌合保持している。カバー本体４ｈ１の下部には端縁より垂下され、容器１のオーバーキャップ５との係合部（図示の例ではねじ部１ｃ）を残して横断する脚部が形成されている。図示の例では、脚部をなす脚部本体４ｈ２を２つ設け、ねじ部１ｃにおいてこの脚部本体４ｈ２に対応する部位に凹部１ｄを形成し、脚部本体４ｈ２に挟まれるように部分的にねじ部１ｃを残している。これによりスライダー４は、容器１に対して回動不能でありかつ上下にスライド可能となっており、容器１を大きくすることなくスライダー４の回転止めを形成することができ、またオーバーキャップ５と容器１との係合も確保することができる。なお脚部本体４ｈ２は、１つであってもよい。
【００２６】
スライダー４にカバー４ｈを設けていても、図８、図９に示すように被塗布面に対し内容物を直接塗布することが可能である。また、図１０に示すように被塗布面から離して内容物を滴下塗布する場合は、注出開口４ｆ付近に触れずにカバー４ｈを容器に向かって押すことができるので、指を汚すことがない。
【００２７】
脚部本体４ｈ２を容器１の口部１ａに沿って配置し、脚部本体４ｈ２の各下端をつなぐリング４ｈ３を設けて脚部となす場合には、このリング４ｈ３がスライダー４を押し込む際の指掛りとなって特に操作がしやすくなる。またリング４ｈ３が脚部本体４ｈ２を相互に連結しているのでカバー４ｈの強度を高めることができる。さらにリング４ｈ３がスライダー下方位置において容器１の肩部と接触するようにしておけば、スライダー４を押し込んだ際のストッパーとなり、部材の破損防止にも有効である。
【産業上の利用可能性】
【００２８】
本発明によれば、容器の一部を被塗布面に接触させて容器内の内容物を直接塗布する場合と、被塗布面から離して滴下塗布する場合を選択できるようにするとともに、簡便な操作のもとで定量の内容物を確実に取り出すことが可能となる、新規な定量注出容器を安定的に供給できる。
【符号の説明】
【００２９】
１    容器
１ａ  口部
１ｂ  突起
１ｃ  ねじ部
１ｄ  凹部
２    基体
２ａ  底壁
２ｂ  側壁
２ｃ  凹部
２ｄ  フランジ
２ｅ  周壁
２ｆ  周壁
２ｇ  中央開口
２ｈ  貫通孔
３    ノズルヘッド
３ａ  筒体
３ｂ  上部開口
３ｃ  開口側壁
３ｃ１  上端
３ｃ２  下端
３ｄ  外側周壁
３ｅ  凹部
４    スライダー
４ａ  軸体
４ｂ  周壁
４ｂ１  周壁上端
４ｂ２  周壁下端
４ｃ  管状体
４ｃ１  凸部
４ｃ２  係合突起
４ｄ  環状凸部
４ｅ  貫通孔
４ｆ  注出開口
４ｇ  切欠き
４ｈ  カバー
４ｈ１  カバー本体
４ｈ２  脚部本体
４ｈ３  リング
５    オーバーキャップ
５ａ  ねじ部
５ｂ  爪部
５ｃ  リブ
Ａ    貯留空間
Ｂ    補助空間
【図１】
0005554088.tif 000002
【図２】
0005554088.tif 000003
【図３】
0005554088.tif 000004
【図４】
0005554088.tif 000005
【図５】
0005554088.tif 000006
【図６】
0005554088.tif 000007
【図７】
0005554088.tif 000008
【図８】
0005554088.tif 000009
【図９】
0005554088.tif 000010
【図１０】
0005554088.tif 000011